(57)【要約】【課題】  それぞれの調整穴で１目盛移動させたときに調整される画像歪の大きさを等しくし、調整作業がスムーズに行うことができる目盛画像読取装置を実現することにある。【解決手段】  原稿台と、取付枠と、ガイドレール上を原稿台に対して平行方向に移動する走査ユニットと、走査ユニットからの反射光を読み取る画像読取部とを備える画像読取装置において、取付枠は、走査ユニットが移動する両端部付近に上下方向に長い調節穴を有し、ガイドレールは、調節穴を介して固定部材により取付枠に取り付けられており、調節穴の近傍には目盛が付されており、一方の目盛の目盛幅は、他方の目盛の目盛幅と異なることを特徴とする。【選択図】  図４
2014066969.tif 000002
【特許請求の範囲】
【請求項１】
原稿台と、
取付枠と、
ガイドレール上を前記原稿台に対して平行方向に移動する走査ユニットと、
前記走査ユニットからの反射光を読み取る画像読取部とを備える画像読取装置において、
前記取付枠は、前記走査ユニットが移動する両端部付近に上下方向に長い調節穴を有し、
前記ガイドレールは、前記調節穴を介して固定部材により前記取付枠に取り付けられており、
前記調節穴の近傍には目盛が付されており、一方の目盛の目盛幅は、他方の目盛の目盛幅と異なることを特徴とする画像読取装置。
【請求項２】
前記目盛は、前記取付枠の前記画像読取部に近い位置と遠い位置に付されており、前記近い位置の目盛の目盛幅は、前記遠い位置の目盛の目盛幅よりも大きいことを特徴とする請求項１に記載の画像読取装置。
【請求項３】
前記調節穴の近傍には、１目盛あたりに調整される画像歪の調整量が記載されていることを特徴とする請求項１または２のいずれかに記載の画像読取装置。
【請求項４】
請求項１〜３のいずれかに記載の画像読取装置を備えたことを特徴とする画像形成装置。
【発明の詳細な説明】
【技術分野】
【０００１】
本発明は、原稿の画像を読み取る画像読取装置に関するものである。
【背景技術】
【０００２】
従来より画像読取装置においては、原稿台上に置いた原稿を、走査光学系により読み取るものがある。走査光学系には、光源と第１ミラーからなる第１走査ユニット、第２ミラーと第３ミラーからなる第２走査ユニット、結像レンズと撮像素子からなる画像読取部が備えられている。そして、第１走査ユニットが原稿面をスキャンすると共に、第２走査ユニットが第１走査ユニットの移動に応じて定められた速度で移動することにより、光路長を一定としながら、原稿面で反射した光を各ミラーで反射させて、画像読取部に入射させ、画像情報を読み取る。
【０００３】
しかし、画像読取装置の製造段階で、走査光学系に微小な製造誤差が生じ、長方形の形状が台形や平行四辺形などに歪んだ形状で結像してしまう画像歪という現象が生じることがある。この画像歪は、第１走査ユニットの走査経路と、反射光の光軸が正確に平行になっていない場合に生じることがわかっている。
【０００４】
特許文献１では、この画像歪を調整する画像歪調整装置が開示されており、図７は、画像歪調整装置を示した図である。画像歪調整装置は、上記の第２走査ユニットに相当するミラーユニット１０１と、ミラーユニット１０１の移動を案内するガイドレール１０２と、ガイドレール１０２に設けられた取付板１０３を備える。取付板１０３には、ミラーユニット１０１の移動方向の前後両端部とその中間部分に長孔１０４が開けられており、取付ビス１０５を長孔１０４に挿通してねじ込むことでガイドレール１０２を固定することができる。また、画像歪が生じている場合、取付ビス１０５を緩め、長孔１０４内で取付ビス１０５を相対的に移動させることでガイドレール１０２を上下に移動させることが可能になり、画像歪を調整することができる。また、取付板１０３には、目盛１０６が付けられており、目盛１０６を用いると、調整が容易かつ正確に行える利点がある。
【先行技術文献】
【特許文献】
【０００５】
【特許文献１】特開昭６３−１１９２２号公報（昭和６３年１月１９日公開）
【発明の概要】
【発明が解決しようとする課題】
【０００６】
ところで、特許文献１の画像歪調整装置では、ミラーユニットの移動方向の前後両端部付近に目盛が付けられているが、これらの目盛の目盛幅は等しいことが考えられる。しかし、片方の長孔で取付ビスを１目盛移動させたときと、他方の長孔で取付ビスを１目盛移動させたときとでは、調整される画像歪の大きさが異なる。これは、ガイドレールの上下方向を調整する取付ビスから第三ミラーで反射する光までの距離に差異があるためである。そのため、前後両端部で同等の画像歪が生じていたとしても、取付ビスを移動させる距離が異なってくるため、調整作業を効率良く行えないという問題がある。
【０００７】
本発明は、このような課題に鑑みてなされたものであり、その目的は、それぞれの調整穴で１目盛移動させたときに調整される画像歪の大きさを等しくし、調整作業がスムーズに行うことができる目盛画像読取装置を実現することにある。
【課題を解決するための手段】
【０００８】
本発明に係る画像読取装置は、原稿台と、取付枠と、ガイドレール上を原稿台に対して平行方向に移動する走査ユニットと、走査ユニットからの反射光を読み取る画像読取部とを備える画像読取装置において、取付枠は、走査ユニットが移動する両端部付近に上下方向に長い調節穴を有し、ガイドレールは、調節穴を介して固定部材により取付枠に取り付けられており、調節穴の近傍には目盛が付されており、一方の目盛の目盛幅は、他方の目盛の目盛幅と異なることを特徴とする。
【０００９】
また、目盛は、取付枠の画像読取部に近い位置と遠い位置に付されており、近い位置の目盛の目盛幅は、遠い位置の目盛の目盛幅よりも大きいことを特徴としても良い。
【発明の効果】
【００１０】
本発明によれば、それぞれの調整穴で１目盛移動させたときに調整される画像歪の大きさが等しいため、調整作業がスムーズに行うことができる。
【図面の簡単な説明】
【００１１】
【図１】本発明の一実施形態に係る画像読取装置を示す斜視図である。
【図２】原稿読み取りの始期における画像読取装置の内部機構を模式的に示す説明図である。
【図３】原稿読み取りの終期における画像読取装置の内部機構を模式的に示す説明図である。
【図４】ガイドレールの各端部を上下方向に調整する構成の説明図である。
【図５】本実施形態に係る画像読取装置による画像歪の調整を示す説明図である。
【図６】ガイドレールの各端部を上下方向に調整したときの説明図である。
【図７】特許文献１の複写機の画像歪調整装置を示した図である。
【発明を実施するための形態】
【００１２】
以下、本発明の実施の形態について図面に基づいて説明する。なお、本発明の図面において、同一の参照符号は、同一部分又は相当部分を表わすものとする。
【００１３】
〔実施形態〕
図１は、本発明の一実施形態に係る画像読取装置１を示す斜視図である。図１に示すように、画像読取装置１は、原稿台２に載置された原稿に対して原稿台２に沿った主走査方向Ａ及び主走査方向Ａに直交し原稿台２に沿った副走査方向Ｂに光学的に走査して原稿画像を読み取るようになっている。
【００１４】
画像読取装置１は、原稿台２、取付枠３、第１走査ユニット４、第２走査ユニット５及び画像読取部６を備えている。原稿台２は、読み取る原稿をセットする台であり、矩形板状の透明なガラスから形成される。取付枠３は、画像読取装置１の周囲を囲うように形成され第１走査ユニット４、第２走査ユニット５及び画像読取部６は、取付枠３の内側に配置される。
【００１５】
第１走査ユニット４は、光源１１及び第１ミラー１２を備えている。光源１１は、原稿台２上の原稿に光を照射するものである。第１ミラー１２は、光源１１から照射され、原稿で反射した光を第２走査ユニット５に導くものである。第１走査ユニット４は、原稿台２に沿って副走査方向Ｂに往復移動するようになっており、原稿を読み取るときは副走査読取方向Ｂ１に移動する。
【００１６】
第２走査ユニット５は、第２ミラー１３、第３ミラー１４及びミラー支持部１５を備えている。第２ミラー１３及び第３ミラー１４は、第１走査ユニット４の第１ミラー１２からの反射光を画像読取部６に導くようになっている。ミラー支持部１５は、第２ミラー１３及び第３ミラー１４を支持するものである。第２走査ユニット５の主走査方向Ａの両端部は、副走査方向Ｂに沿って配設されたガイドレール１６及びガイドレール１７に支持され、第２走査ユニット５はガイドレール上を副走査方向Ｂに移動する。第２走査ユニット５は、第１走査ユニット４の副走査方向Ｂの往復移動に連動して第１走査ユニット４と同方向に往復移動するようになっている。
【００１７】
画像読取部６は、暗箱で覆われており、その中に結像レンズ１８及び撮像素子１９を備えている（図１では図示せず、図２、３参照）。結像レンズ１８としては、例えば、複数枚のレンズを略円筒状の枠部材に固定したものを用いることができ、原稿からの反射光を撮像素子１９に結像する。撮像素子１９としては、例えば、電荷結合素子（Charge Coupled Device、ＣＣＤ）を用いることができる。光源１１から照射され、原稿台２上の原稿で反射した光は、第１ミラー１２、第２ミラー１３、第３ミラー１４、結像レンズ１８を経て撮像素子１９に照射され、撮像素子１９で原稿の光情報を電気信号に変換する。第１ミラー１２、第２ミラー１３、第３ミラー１４及び結像レンズ１８は、結像光学系を構成している。
【００１８】
図２と図３は、画像読取装置１の内部機構を模式的に示す説明図である。図２は、原稿読み取りの始期における状態を示しており、図２（ａ）は、副走査方向Ｂと平行な側面から見たときの模式図であり、図２（ｂ）は、上面から見たときの模式図である。このとき、第１走査ユニット４は、副走査読取方向Ｂ１の上流側かつ読み取る原稿の端の下に配置しており、そこを読取始端Ｐ１とする。第２走査ユニット５は、副走査読取方向Ｂ１の上流側かつガイドレール１６の端付近に配置しており、そこを走査始端Ｐ１１とする。図３は、原稿読み取りの終期における状態を示しており、図３（ａ）は、副走査方向Ｂと平行な側面から見たときの模式図であり、図３（ｂ）は、上面から見たときの模式図である。このとき、第１走査ユニット４は、副走査読取方向Ｂ１の下流側かつ読み取る原稿の端の下に配置しており、そこを読取終端Ｐ２とする。第２走査ユニット５は、副走査読取方向Ｂ１の下流側かつガイドレールの端付近に配置しており、そこを走査終端Ｐ１２とする。
【００１９】
図２及び図３のように、光源１１から照射された光は、原稿に載置された原稿の表面で乱反射する。原稿の表面から下方に反射した光は、第１ミラー１２で反射され、その後第２ミラー１３、第３ミラー１４で順に反射されて、結像レンズ１８を経て撮像素子１９に結像する。
【００２０】
そして、第１走査ユニット４は、副走査読取方向Ｂ１に一定の速度Ｖで移動する。第２走査ユニット５は、第１走査ユニット４の副走査読取方向Ｂ１下流側に位置しており、第１走査ユニット４の副走査読取方向Ａ１への速度Ｖの移動に対して２分の１の速度Ｖ／２で副走査読取方向Ｂ１に移動する。このとき、第１走査ユニット４及び第２走査ユニット５の速度比は２：１に保たれるので、原稿面から結像レンズ１８に至る光路長Ｃが一定に保たれる。これによって、第１走査ユニット４が読取始端Ｐ１から読取終端Ｐ２まで移動する間において、原稿の画像を撮像素子１９に安定的に結像させることができる。
【００２１】
また、第１走査ユニット４が読取始端Ｐ１から読取終端Ｐ２まで移動するにつれて、第３ミラー１４から結像レンズ１８までの距離が短くなっていくため、撮像素子１９に結像させることができる第３ミラー１４での反射領域は徐々に狭くなる。本明細書中では、撮像素子１９に結像させることができる第３ミラー１４での反射領域を結像有効領域とし、原稿読み取りの始期における第３ミラー１４での反射領域を結像有効領域Ｒ１とし、原稿読み取りの終期における第３ミラー１４での反射領域を結像有効領域Ｒ２とする。結像有効領域Ｒ１は、第３ミラー１４から結像レンズ１８の距離が長いため、結像有効領域Ｒ２より広い。
【００２２】
しかし、上記のように原稿台２上に置いた原稿を走査光学系により読み取る画像読取装置においては、長方形の形状が台形や平行四辺形などに歪んだ形状で結像してしまう画像歪という現象が生じることがある。この画像歪は、画像読取装置を製造する際に、走査光学系に微小な誤差が生じてしまい、第１走査ユニット４の副走査方向Ｂの走査経路と、副走査方向Ｂの反射光の光軸が正確に平行になっていないことが原因で生じる。
【００２３】
本発明では画像歪を調整するために、第２走査ユニット５の走査始端Ｐ１１及び走査終端Ｐ１２付近で、ガイドレール１６の各端部を上下方向に調整できるように構成する。こうすることによって、第２走査ユニット５の走査始端Ｐ１１及び走査終端Ｐ１２付近で、第２走査ユニット５の上下方向の位置を調整し、第３ミラー１４から反射した光の光軸を適正に設定することができ、画像歪を取り除くことができる。
【００２４】
図４は、ガイドレール１６の各端部を上下方向に調整する構成の説明図であり、副走査方向Ｂと平行な側面からみた図である。上記で述べたように、第２走査ユニット５の主走査方向Ａの両端部は、副走査方向Ｂに沿って配設されたガイドレール１６及びガイドレール１７に支持されている。ガイドレール１６及びガイドレール１７は、図２あるいは図３に示すように副走査方向Ｂの両端部にねじ穴２０を有し、取付枠３の外側から取付ビス２１をねじ穴２０に締め付けることによって取付枠３に取り付けられる。取付ビス２１は、ガイドレールを取付枠３に固定するための固定部材である。
【００２５】
さらに、ガイドレール１６側では取付ビス２１は、取付枠３に設けられた調節穴２２及び調節穴２３に挿通する。調節穴２２及び調節穴２３は、上下方向に長い形状であり、調節穴２２は、第２走査ユニット５の走査始端Ｐ１１付近に形成され、調節穴２３は第２走査ユニット５の走査終端Ｐ１２付近に形成される。さらに、調節穴２２及び調節穴２３の近傍には目盛２４及び目盛２５が設けられている。
【００２６】
ガイドレール１６は、取付ビス２１を調節穴２２及び調節穴２３に通し、ガイドレール１６のねじ穴２０に締め付けることで取付枠３に固定される。また、画像歪が生じている場合、取付ビス２１を緩め、調節穴２２あるいは調節穴２３内で取付ビス２１を上下方向に移動させる。取付ビス２１は、ガイドレール１６のねじ穴２０に挿通しているため、取付ビス２１を上下方向に移動させることで、ガイドレール１６の各端部を上下方向に移動させることができる。取付ビス２１を適正な位置で締め付けることで、ガイドレール１６を取付枠３に固定する。こうすることによって、画像歪を取り除くことができる。
【００２７】
ここで、画像歪の調整について図５に基づいて説明する。図５（ａ）〜（ｃ）は、原稿の長方形の図形を画像読取装置で読み取った結果であり、いずれも画像歪が生じている。図５（ａ）は、副走査読取方向Ｂ１の上流側で画像歪が生じている場合を示している。この画像歪を調整するためには、ガイドレール１６の走査始端Ｐ１１側を上下方向に調整する必要があるため、調節穴２２内で取付ビス２１を上下方向に移動させ、適正な位置で締め付ける。こうすることで、画像歪が取り除かれ、図５（ｄ）のように長方形の図形をして読み取ることが可能になる。
【００２８】
図５（ｂ）は、副走査読取方向Ｂ１の下流側で画像歪が生じている場合を示している。この画像歪を調整するためには、ガイドレール１６の走査終端Ｐ１２側を上下方向に調整する必要があるため、調節穴２３内で取付ビス２１を上下方向に移動させ、適正な位置で締め付ける。こうすることで、画像歪が取り除かれ、図５（ｄ）のように長方形の図形をして読み取ることが可能になる。
【００２９】
図５（ｃ）は、副走査読取方向Ｂ１の上流及び下流の両側で画像歪が生じている場合を示している。この画像歪を調整するためには、ガイドレール１６の走査始端Ｐ１１側及び走査終端Ｐ１２側を上下方向に調整する必要があるため、調節穴２２内と調節穴２３内でそれぞれの取付ビス２１を上下方向に移動させ、それぞれ適正な位置で締め付ける。こうすることで、画像歪が取り除かれ、図５（ｄ）のように長方形の図形をして読み取ることが可能になる。
【００３０】
次に、図６に基づいて取付ビス２１の移動によりガイドレール１６の各端部を上下方向に調整したときの状態について説明する。図６（ａ）は、主走査方向Ａに平行な第３ミラー１４での断面図であり、ガイドレール１６の走査始端Ｐ１１側と走査終端Ｐ１２側の端部を上方向に距離ｘ移動させたときの状態を同時に説明している図である。
【００３１】
ガイドレール１６の走査始端Ｐ１１側の端部を上方向に距離ｘ移動させた場合、第３ミラー１４の結像有効領域Ｒ１の端は上方向に高さＨ１上がる。同様に、ガイドレール１６の走査終端Ｐ１２側の端部を上方向に距離ｘ移動させた場合、第３ミラー１４の結像有効領域Ｒ２の端は上方向に高さＨ２上がる。この高さＨ１、Ｈ２は、調整される画像歪の調整量に相当する。従って、ガイドレール１６の走査始端Ｐ１１側の端部を上方向に距離ｘ移動させた場合、読取始端Ｐ１での原稿の画像歪は、高さＨ１に相当する調整量が調整されるが、ガイドレール１６の走査終端Ｐ１２側の端部を上方向に距離ｘ移動させた場合、読取終端Ｐ２での原稿の画像歪は、高さＨ２に相当する調整量が調整される。このことより、ガイドレール１６の各端部を同距離移動させたにも関わらず、調整される画像歪の調整量に差が生じていることがわかる。
【００３２】
これは、第１走査ユニット４が走査始端Ｐ１１にいるときと走査終端Ｐ１２にいるときでは、調節穴から第３ミラー１４の結像有効領域までの距離が異なることが原因である。つまり、第１走査ユニット４が走査始端Ｐ１１にいるときは、調節穴２２から第３ミラー１４の結像有効領域Ｒ１までの距離Ｄ１は近いが、第１走査ユニット４が走査終端Ｐ１２にいるときは、調節穴２３から第３ミラー１４の結像有効領域Ｒ２までの距離Ｄ２は遠い。そのため、ガイドレール１６の各端部を移動させた距離に対して画像歪の調整量に差が生じてしまう。つまり、画像歪の調整量に対する取付ビス２１の移動距離が異なるということである。そのため、走査始端Ｐ１１側と走査終端Ｐ１２側で目盛幅が等しい画像読取装置で画像歪の調整作業を行う場合、仮に副走査読取方向Ｂ１の上流及び下流の両側で同等の画像歪が生じていたとしても、ガイドレール１６の端部を移動させる距離が異なってくるため、調整作業を効率良く行えないという問題があった。
【００３３】
そこで、本発明では、調節穴２２及び調節穴２３の近傍に目盛幅の異なる目盛２４及び目盛２５を付す。目盛２４は、調節穴２２の近傍に配置し、目盛２５は、調節穴２３の近傍に配置する。調節穴２２内で取付ビス２１を目盛２４の１目盛移動させたときと、調節穴２３内で取付ビス２１を目盛２５の１目盛移動させたときで、調整される画像歪の調整量が等しくなるように、目盛２４及び目盛２５の目盛幅を設定する。
【００３４】
図６（ｂ）は、主走査方向Ａに平行な第３ミラー１４での断面図であり、読取始端Ｐ１と読取終端Ｐ２での画像歪の調整量が等しくなるように、ガイドレール１６の走査始端Ｐ１１側と走査終端Ｐ１２側の端部を上方向に移動させたときの状態を同時に説明している図である。図６（ａ）と同様に、ガイドレール１６の走査始端Ｐ１１側の端部を上方向に距離ｘ移動させた場合、第３ミラー１４の結像有効領域Ｒ１の端は上方向に高さＨ１上がるため、読取始端Ｐ１での原稿の画像歪は、高さＨ１に相当する調整量が調整される。このとき、第３ミラー１４は水平方向に対して角度θ傾いている。
【００３５】
一方、読取終端Ｐ２での画像歪の調整量を、読取始端Ｐ１での画像歪の調整量と等しくするためには、第３ミラー１４の結像有効領域Ｒ２の端を上方向に高さＨ１上げる必要がある。そのためには、図６（ｂ）に示されるようにガイドレール１６の走査終端Ｐ１２側の端部を上方向に距離ｙ移動させる必要がある。このとき、距離ｙは距離ｘより大きく、第３ミラー１４は水平方向に対して角度θ’傾いている。
【００３６】
以上より、読取始端Ｐ１と読取終端Ｐ２での画像歪の調整量が等しくなるようにするためには、ガイドレール１６の走査始端Ｐ１１側の端部を上方向に距離ｘ移動させた場合、ガイドレール１６の走査終端Ｐ１２側の端部を上方向に距離ｙ移動させる必要があることがわかる。これを目盛に応用すると、目盛２５の目盛幅を目盛２４の目盛幅のｙ／ｘ倍にすることで、目盛２４の１目盛に対する画像歪の調整量と、目盛２５の１目盛に対する画像歪の調整量が等しくなる。
【００３７】
次に、図６（ｂ）に基づいて、目盛２４の目盛幅と目盛２５の目盛幅の比率を調節穴から第３ミラー１４の結像有効領域までの距離を用いて計算する。調節穴２２から第３ミラー１４の結像有効領域Ｒ１までの距離をＤ１、調節穴２３から第３ミラー１４の結像有効領域Ｒ２までの距離をＤ２、主走査方向Ａの取付枠３の幅をＤ３とする。
【００３８】
まず、調節穴２２で画像歪を調整した場合について考える。ガイドレール１６の走査始端Ｐ１１側の端部を上方向に距離ｘ移動させることで、第３ミラー１４の結像有効領域Ｒ１の端は上方向に高さＨ１上がり、第３ミラー１４は水平方向に対して角度θ傾く。ここから、角度θを用いて、
ｔａｎθ＝Ｈ１／（Ｄ３−Ｄ１）
ｔａｎθ＝ｘ／Ｄ３
の２式を作ることができ、この２式より、
ｘ＝Ｄ３＊Ｈ１／（Ｄ３−Ｄ１）      ・・・（１）
となる。
【００３９】
同様に、調節穴２３で画像歪を調整した場合について考える。ガイドレール１６の走査終端Ｐ１２側の端部を上方向に距離ｙ移動させることで、第３ミラー１４の結像有効領域Ｒ２の端は上方向に高さＨ１上がり、第３ミラー１４は水平方向に対して角度θ’傾く。ここから、角度θ’を用いて、
ｔａｎθ’＝Ｈ１／（Ｄ３−Ｄ２）
ｔａｎθ’＝ｙ／Ｄ３
の２式を作ることができ、この２式より、
ｙ＝Ｄ３＊Ｈ１／（Ｄ３−Ｄ２）      ・・・（２）
となる。
【００４０】
式（１）（２）より、取付ビス２１を上方向に移動させる距離ｘと距離ｙの比率は、
ｘ：ｙ＝Ｄ３＊Ｈ１／（Ｄ３−Ｄ１）：Ｄ３＊Ｈ１／（Ｄ３−Ｄ２）
＝１：（Ｄ３−Ｄ１）／（Ｄ３−Ｄ２）
となる。
【００４１】
以上より、目盛２５の目盛幅を目盛２４の目盛幅の（Ｄ３−Ｄ１）／（Ｄ３−Ｄ２）倍にすることで、ガイドレール１６の走査始端Ｐ１１側の端部を目盛２４の１目盛移動させたときと、ガイドレール１６の走査終端Ｐ１２側の端部を目盛２５の１目盛移動させたときで、調整される画像歪の調整量が等しくなる。なお、距離Ｄ１は、距離Ｄ２よりも小さいため、（Ｄ３−Ｄ１）／（Ｄ３−Ｄ２）は、１より大きい値になる。
【００４２】
また、調節穴から第３ミラー１４の結像有効領域までの距離Ｄ１、Ｄ２は、第２走査ユニット５から画像読取部６までの距離とも関係がある。第２走査ユニット５から画像読取部６までの距離が大きいほど、第３ミラー１４の結像有効領域は広くなるため、調節穴から第３ミラー１４の結像有効領域までの距離は短くなる。調節穴から第３ミラー１４の結像有効領域までの距離が短くなれば、その調節穴の近傍に付いている目盛の目盛幅は小さくなる。つまり、第２走査ユニット５から画像読取部６までの距離が大きいほど、対応する目盛の目盛幅は小さくなる。同様に、第２走査ユニット５から画像読取部６までの距離が小さいほど、対応する目盛の目盛幅は大きくなる。これを考慮に入れると、１目盛移動させたときに調整される画像歪の調整量を等しくするためには、画像読取部６から近い位置に付された目盛２５の目盛幅は、画像読取部６から遠い位置に付された目盛２４の目盛幅よりも大きくする必要があることがわかる。
【００４３】
目盛２４及び目盛２５の目盛幅は、１目盛移動させたときに切りの良い調整量が調整されるように設定しておくほうが良い。例えば、調節穴２２内及び調節穴２３内で１目盛移動させたときに、１ｍｍの画像歪を調整できるように目盛幅を設定しておくと、調整するときに、画像歪の大きさに対してどの程度取付ビス２１を上下させれば良いのかを容易に判断することができるため、調整作業の容易にすることができる。また、１目盛分の画像歪の調整量は１ｍｍ／ｓｃａｌｅのように目盛の近傍に記載されていても良い。
【００４４】
また、調節穴２３は、調節穴２２よりも上下に長く設計されており、調節穴２３内で取付ビス２１が移動できる距離は、調節穴２２内で取付ビス２１が移動できる距離よりも大きいと好ましい。さらに、調節穴２３の上下の幅は、調節穴２２の上下の幅の（Ｄ３−Ｄ１）／（Ｄ３−Ｄ２）倍であればさらに好ましい。こうすることによって、読取始端Ｐ１と読取終端Ｐ２での画像歪の最大の調整量を等しくすることができる。
【００４５】
また、ガイドレール１６の端部を上方向に移動させたときあるいは下方向に移動させたときに、画像歪の調整方向が一目でわかるように、目盛２４及び目盛２５の近傍に、説明図を記載しておいても良い。こうすることによって、調整したい画像歪に対して、上か下かどちらに移動させれば良いのか容易に判断することができるようになる。
【００４６】
以上、本発明の実施形態について説明したが、本発明は上記の実施形態に限定されるものではなく、本発明の範囲は特許請求の範囲によって示され、特許請求の範囲と均等の意味および範囲内でのすべての変更が含まれることが意図される。
【００４７】
例えば、本実施形態では、副走査読取方向Ｂ１に第１走査ユニット４を移動させて原稿を読み取る画像読取装置を説明したが、逆方向に読み取っても良い。また、目盛２４及び目盛２５は３本から形成されているもので説明したが、本数はこれに限られるものではない。
【００４８】
また、画像歪を調整する機構を、第２走査ユニットを支持する２つのガイドレールの片側だけに備えた画像読取装置を説明したが、両側のガイドレールに構成されていても良い。
【００４９】
また、本発明の画像読取装置は、複写機、ファクシミリ、複合機等の画像形成装置に搭載されても良い。
【符号の説明】
【００５０】
１  画像読取装置
２  原稿台
３  取付枠
４  第１走査ユニット
５  第２走査ユニット
６  画像読取部
１１  光源
１２  第１ミラー
１３  第２ミラー
１４  第３ミラー
１５  ミラー支持部
１６  ガイドレール
１７  ガイドレール
１８  結像レンズ
１９  撮像素子
２０  ねじ穴
２１  取付ビス
２２  調節穴
２３  調節穴
２４  目盛
２５  目盛
【図１】
2014066969.tif 000003
【図２】
2014066969.tif 000004
【図３】
2014066969.tif 000005
【図４】
2014066969.tif 000006
【図５】
2014066969.tif 000007
【図６】
2014066969.tif 000008
【図７】
2014066969.tif 000009